(57)【特許請求の範囲】
【請求項１】
略閉塞された空間であって被試験物が設置される試験室と、外部から試験室内を覗き込むことが可能な窓部を有し、
窓部は透明であって試験室側に設置された内側透明壁と、透明であって外部側に設置された外側透明壁を有し、前記内側透明壁と外側透明壁との間に空隙部が存在する試験装置において、
前記空隙部に内部遮光部材が設置され、当該内部遮光部材は、内側透明壁及び外側透明壁に対して垂直方向の成分を有する姿勢に配された内部遮光壁を有することを特徴とする試験装置。
【請求項２】
外側透明壁の外側にカメラを設置するためのカメラ設置部があることを特徴とする請求項１に記載の試験装置。
【請求項３】
外側透明壁の外側に入光部を有するカメラを設置可能であって、カメラが設置された際に当該カメラの入光部に入射される光の通過領域があり、内部遮光部材は、少なくとも前記通過領域に対して上部側及び側面側の一部または全部から光が入射されることを防止する位置に設置されていることを特徴とする請求項１または２に記載の試験装置。
【請求項４】
内部遮光部材は筒状又は略筒状であって、前記空隙部の一部を環状に取り囲むものであることを特徴とする請求項１乃至３のいずれかに記載の試験装置。
【請求項５】
試験室の外部に外部遮光部材があり、
当該外部遮光部材は、外側透明壁に対して垂直方向の成分を有する姿勢に配された外部遮光壁を有することを特徴とする請求項１乃至４のいずれかに記載の試験装置。
【請求項６】
外側透明壁の外側に入光部を有するカメラを設置可能であって、
外部遮光部材の外部遮光壁は、少なくとも設置されるカメラの入光部の周囲を取り囲むものであることを特徴とする請求項５に記載の試験装置。
【請求項７】
外側透明壁の外側にカメラを設置可能であり、外部遮光部材は箱状であり、設置されるカメラの周囲を取り囲むものであることを特徴とする請求項５又は６に記載の試験装置。
【請求項８】
外側透明壁の外側にカメラが設置されていることを特徴とする請求項１乃至７のいずれかに記載の試験装置。
【請求項９】
内部遮光部材は形状及び又は姿勢変更が可能であり、外部から内部遮光部材の形状及び又は姿勢を変更させることができることを特徴とする請求項１乃至８のいずれかに記載の試験装置。
【発明の詳細な説明】
【技術分野】
【０００１】
本発明は、試験室を有する試験装置に関するものである。本発明は、特に環境試験装置の様に試験室を有し、試験室内に高温環境や低温環境等を人工的に作りだす機能を備えた試験装置として好適である。
【背景技術】
【０００２】
製品や素材等の性能や耐久性を試験する装置として、特許文献１の様な環境試験装置が知られている。環境試験装置は、試験対象たる被試験物が載置される試験室を備え、試験室内の温度や湿度を所望の試験環境に調整することができるものである。
【０００３】
環境試験装置の試験室は、略密閉された空間であり、中は見えない。
そこで特許文献１に開示された環境試験装置では、試験室内の様子を外部から覗き見るための窓が設けられている。
特許文献１に開示された環境試験装置によると、試験室内における被試験物の状態を、外部から目視することができる。
【先行技術文献】
【特許文献】
【０００４】
【特許文献１】特開平９−２５３４６４号公報
【発明の概要】
【発明が解決しようとする課題】
【０００５】
近年、ビデオ装置やデジタルカメラ等のカメラについての技術革新が著しく、小型のカメラが大量生産されていて安価に入手できる。
また映像を記憶する記憶媒体についても、大容量のものが安価に手に入る。
そのため、環境試験装置の分野においては、試験室内の様子をカメラで撮影して外部でモニターしたり、試験室内の様子を連続的に撮影して記録しておきたいという要求がある。
【０００６】
しかしながら環境試験装置の試験室内は、高温高湿環境であったり、低温環境となる場合があり、これらはカメラにとっては極めて過酷な環境であると言える。
そのため被試験物の様子を撮影することを目的としてカメラを試験室内に設置すると、短期間でカメラが故障してしまう場合がある。
【０００７】
そこで本発明者らは、カメラを窓の外に取り付け、窓の外から試験室内を撮影することを考えた。
しかしながらこの方策によると、外部の雑光がカメラに入射して光が写り込み、試験室の全体を鮮明に撮影したりモニターすることができない場合があった。
また人影や室内の調度等がカメラに写り込んでしまう場合があった。
以下、その理由を説明する。
【０００８】
前記した様に、環境試験装置の試験室は、高温環境や低温環境に維持されるものであるから、内外の熱移動を防止するため、窓部は二重構造となっている。
図１３は、試作した環境試験装置の窓部１０６の断面図であり、試験室５の扉１００等に開口１０１が設けられ、当該開口１０１に積層ペアガラス（内側透明壁）１０３と、化粧ガラス（外側透明壁）１０５が装着された構造となっている。
積層ペアガラス１０３は、主として試験室５の内外を断熱するために設けられたものであり、透明であって開口１０１内の試験室５側に設置されている。
化粧ガラス（外側透明壁）１０５は、使用者が積層ペアガラス１０３に触れて火傷等を負うことを防止するために設けられたものであり、透明であって開口１０１内の試験室５の外部側に設置されている。
【０００９】
また積層ペアガラス１０３の熱が直接化粧ガラス１０５に伝導されることを防ぐために、積層ペアガラス１０３と化粧ガラス１０５との間には隙間があり、両者は直接的に接してはいない。
この様に、積層ペアガラス１０３と化粧ガラス１０５との間には故意に空隙部１１０が形成されている。
【００１０】
また前記した様に、カメラ４３は窓部１０６の外に取り付けられている。
そして図１３に符番Ａで示す円錐状の通過領域を光が通過してカメラ４３の入光部４２に光が入り、光が電気信号に変換される。
しかしながら、窓部１０６に取り付けられた化粧ガラス１０５は透明であるから、環境試験装置が設置されている室内の蛍光灯１１１等の光源から発せられた光が窓部１０６に取り付けられた化粧ガラス１０５を通過して化粧ガラス１０５と積層ペアガラス１０３の間の空隙部１１０に入る場合がある。そして符番Ｂで示す光の軌跡の様に、光の一部が積層ペアガラス１０３の表面で反射し、カメラ４３に入光してしまう場合がある。
また符番Ｃで示す光の軌跡の様に、積層ペアガラス１０３の裏面側で反射したり、符番Ｄで示す光の軌跡の様に、積層ペアガラス１０３を構成する複数のガラスの内、第一層のガラス１０７を通過した光が第二層のガラス１０８や第三層のガラスの表面で反射し、カメラ４３に入光してしまう場合もある。
【００１１】
さらに符番Ｅで示す光の軌跡の様に、蛍光灯１１１等の光源から発せられた光が直接窓部１０６の化粧ガラス１０５に反射してカメラ４３に入光してしまう場合もあった。
そのため外部から雑光が入射して部分的に露光オーバーとなり、映像に光の線が写り込む場合があった。そのため試験室５の全体を鮮明に撮影したり鮮明にモニターすることができない場合があった。
【００１２】
またカメラ４３の背面側を人が通過したり、カメラ４３の背面側に物がある場合、人影や物陰の陰影が、符番Ｆで示す様にカメラ４３と平行に化粧ガラス１０５に入り、光がやや屈折して積層ペアガラス１０３に当たり、積層ペアガラス１０３に人影や物陰の陰影が薄く写る場合がある。
そのためカメラ４３は積層ペアガラス１０３に写った陰影を撮影してしまい、画面にゴースト状の影が入る場合もあった。
そこで本発明は、従来技術の上記した問題点に注目し、試験室内を撮影したり観察するためのカメラを備えた試験装置であり、外部の光等が写り込みにくい試験装置を開発することを課題とする。
【課題を解決するための手段】
【００１３】
上記した課題を解決するための請求項１に記載の発明は、略閉塞された空間であって被試験物が設置される試験室と、外部から試験室内を覗き込むことが可能な窓部を有し、窓部は透明であって試験室側に設置された内側透明壁と、透明であって外部側に設置された外側透明壁を有し、前記内側透明壁と外側透明壁との間に空隙部が存在する試験装置において、前記空隙部に内部遮光部材が設置され、当該内部遮光部材は、内側透明壁及び外側透明壁に対して垂直方向の成分を有する姿勢に配された内部遮光壁を有することを特徴とする試験装置である。
【００１４】
本発明の試験装置は、外部から窓部を通じて試験室内を撮影したり、モニターすることを目的として開発されたものであり、試験装置そのものにカメラを取り付けたり、三脚等で外部にカメラを固定して使用される。
従って使用するカメラは、撮影用のものであってもモニター用のものであってもよい。
「略閉塞された空間」とは完全に密閉された状態を含む概念である。「略閉塞された空間」とは外部とある程度の通気性や換気性がある空間を含む概念である。
「透明」とは肉眼で内外を見通すことが可能であることを意味し、無色であっても着色されていてもよい。
また内側透明壁及び外側透明壁は、補強の為の線や、ヒータが内蔵されているものであってもよい。
本発明では、内側透明壁と外側透明壁との間に空隙部があるが、当該空隙部に内部遮光部材が設置されている。そして内部遮光部材は、内側透明壁及び外側透明壁に対して垂直方向の成分を有する姿勢に配されている。
そのため外部の光が内側透明壁に当たることが阻止される。従って試験装置そのものにカメラを取り付けたり、三脚等で外部にカメラを固定して使用された際、カメラに雑光が入光することが防がれ、外部の光や影が写り込みにくい。
【００１５】
請求項２に記載の発明は、外側透明壁の外側にカメラを設置するためのカメラ設置部があることを特徴とする請求項１に記載の試験装置である。
【００１６】
本発明によると、カメラを試験装置の本体部分に直接取り付けることができる。
【００１７】
請求項３に記載の発明は、外側透明壁の外側に入光部を有するカメラを設置可能であって、カメラが設置された際に当該カメラの入光部に入射される光の通過領域があり、内部遮光部材は、少なくとも前記通過領域に対して上部側及び側面側の一部または全部から光が入射されることを防止する位置に設置されていることを特徴とする請求項１または２に記載の試験装置である。
【００１８】
本発明では、試験装置が設置された室内の照明に起因する光が、内側透明壁に当たることが阻止される。
即ち室内の照明は、通常、室内の高い位置に取り付けられているから、照明の光は、上方から照射される。ここで本発明では、光の通過領域に対して上部側から光が入射されることが阻止されるから、照明に起因する雑光が内側透明壁に当たることが阻止され、写り込みの大半を防ぐことができる。
また本発明では、光の通過領域に対して側面側から光が入射されることも阻止されるから、照明に起因し、反射を繰り返して空隙部に回りこんだ雑光が外側透明壁に当たることが阻止される。
【００１９】
請求項４に記載の発明は、内部遮光部材は筒状又は略筒状であって、前記空隙部の一部を環状に取り囲むものであることを特徴とする請求項１乃至３のいずれかに記載の試験装置である。
【００２０】
本発明では、内部遮光部材は筒状又は略筒状によって空隙部の一部を環状に取り囲んでしまうので、設置されるカメラに対する光の通過領域に光が入り込むことが阻止される。
【００２１】
請求項５に記載の発明は、試験室の外部に外部遮光部材があり、当該外部遮光部材は、外側透明壁に対して垂直方向の成分を有する姿勢に配された外部遮光壁を有することを特徴とする請求項１乃至４のいずれかに記載の試験装置である。
【００２２】
本発明によると、設置されるカメラの近傍から外側透明壁を通過する光が遮断される。
【００２３】
請求項６に記載の発明は、外側透明壁の外側に入光部を有するカメラを設置可能であって、外部遮光部材の外部遮光壁は、少なくとも設置されるカメラの入光部の周囲を取り囲むものであることを特徴とする請求項５に記載の試験装置である。
【００２４】
本発明によると、外側透明壁の表面における反射光や回折光が設置されるカメラに入光することが防がれる。
【００２５】
請求項７に記載の発明は、外側透明壁の外側にカメラを設置可能であり、外部遮光部材は箱状であり、設置されるカメラの周囲を取り囲むものであることを特徴とする請求項５又は６に記載の試験装置である。
【００２６】
本発明によると、設置されるカメラの近傍から内側透明壁を通過する光が遮断され、外側透明壁の表面における反射光や回折光がカメラに入光することが防がれる。
また本発明によると、設置されるカメラの背面にある調度等の影がカメラに写り込み難い。
【００２７】
請求項８に記載の発明は、外側透明壁の外側にカメラが設置されていることを特徴とする請求項１乃至７のいずれかに記載の試験装置である。
【００２８】
本発明によると、設置されたカメラで試験室内を撮影したりモニターすることができる。
【００２９】
請求項９に記載の発明は、内部遮光部材は形状及び又は姿勢変更が可能であり、外部から内部遮光部材の形状及び又は姿勢を変更させることができることを特徴とする請求項１乃至８のいずれかに記載の試験装置である。
【００３０】
本発明によると、カメラが取り付けられていない場合と、カメラが取り付けられている場合で、内部遮光部材の形状及び又は姿勢を変更させることができる。そのため、カメラが取り付けられておらず、目視によって窓から直接試験室の内部が見たい場合に、内部遮光部材が邪魔になり難い。
【発明の効果】
【００３１】
本発明の試験装置は、カメラを使用して試験室内を撮影したり観察する際に、外部の光や影がカメラに写り込みにくく、使い勝手がよい。
【図面の簡単な説明】
【００３２】
【図１】発明の実施形態の環境試験装置の斜視図である。
【図２】図１の環境試験装置の内部構造を概念的に示した説明図である。
【図３】図１の環境試験装置の窓部の断面図である。
【図４】図１の環境試験装置の窓部を試験室側から観察した断面斜視図である。
【図５】図１の環境試験装置の窓部の分解断面図である。
【図６】図１の環境試験装置の窓部の分解斜視図であり、試験室側から観察した状態を示す。
【図７】図１の環境試験装置の窓部の分解斜視図であり、外部側から観察した状態を示す。
【図８】本発明の他の実施形態の環境試験装置の窓部の断面図である。
【図９】本発明の他の実施形態の環境試験装置の内側透明壁と、外側透明壁及び内部遮光部材の斜視図である。
【図１０】本発明の他の実施形態の環境試験装置の内側透明壁と、外側透明壁及び内部遮光部材の斜視図であって、（ａ）はカメラが取り付けられていない状態を示し、（ｂ）はカメラが取り付けられた際の状態を示す。
【図１１】本発明のさらに他の実施形態の環境試験装置の内側透明壁と、外側透明壁及び内部遮光部材の斜視図であって、（ａ）はカメラが取り付けられていない状態を示し、（ｂ）はカメラが取り付けられた際の状態を示す。
【図１２】本発明のさらに他の実施形態の環境試験装置の内側透明壁と、外側透明壁及び内部遮光部材の斜視図であって、（ａ）はカメラが取り付けられていない状態を示し、（ｂ）はカメラが取り付けられた際の状態を示す。
【図１３】試作した環境試験装置の窓部の断面図である。
【発明を実施するための形態】
【００３３】
以下さらに本発明の実施形態の環境試験装置１について説明する。
環境試験装置１は、試験室５内に所望の環境を作ることができる装置である。環境試験装置１の基本構成は、従来技術と大差無いので先に簡単に説明する。
環境試験装置１は、図２に示すように断熱壁２によって覆われた断熱槽３を有している。そして当該断熱槽３の一部に試験室５が形成されている。試験室５は、被試験物４を設置する空間である。
環境試験装置１は、さらに空調機器１０と送風機１１を備えている。空調機器１０は、加湿装置６、冷却装置７及び加熱ヒータ（加熱装置）８によって構成されている。
環境試験装置１には、試験室５と環状に連通する空調通風路１５があり、当該空調通風路１５に前記した空調機器１０と送風機１１が内蔵されている。
【００３４】
空調通風路１５は、断熱槽３の一部に形成され、空気吹き出し部１６と空気導入部１８の２箇所で試験室５と連通している。
そのため送風機１１を起動すると、試験室５内の空気が空気導入部１８から空調通風路１５内に導入される。そして空調通風路１５が通風状態となり、空調機器１０に空気が接触して熱交換や湿度調整がなされ、空気吹き出し部１６から試験室５内に調整後の空気が吹き出される。
また空調通風路１５の空気吹き出し部１６の近傍に、温度センサー１２と湿度センサー１３が設けられている。
環境試験装置１を使用する際には、送風機１１を運転して空調通風路１５内を通風状態とし、温度センサー１２及び湿度センサー１３の検出値が、設定環境の温度及び湿度に近づく様に空調機器１０を制御する。
【００３５】
環境試験装置１の試験室５には開閉扉２０が設けられている。
そして開閉扉２０には、図１、図２の様に窓部２１が設けられている。
窓部２１には透明なガラスがはめ込まれており、外部から試験室５内を覗き見ることができる。
以下、窓部２１及びこれに付属する機器について詳細に説明する。
【００３６】
窓部２１は、開閉扉２０の断熱壁２３に四角形の開口２５が設けられ、当該開口２５に内側透明壁２６と外側透明壁２７が装着されたものである。
【００３７】
内側透明壁２６は、本実施形態では複層ペアガラスが使用されている。
本実施形態では、図４の様に、３枚の耐熱ガラス２８ａ，２８ｂ，２８ｃが辺部にスペーサ３０ａ，３０ｂを挟んで重ねられたものである。
耐熱ガラス２８ａ，２８ｂ，２８ｃは、いずれも長方形である。スペーサ３０ａ，３０ｂは枠状であり、耐熱ガラス２８ａ，２８ｂ，２８ｃ同士の間であって、その辺部に介在されている。そのため耐熱ガラス２８ａ，２８ｂ，２８ｃの中央部は僅かに隙間をあけた状態で重ねられている。
【００３８】
また耐熱ガラス２８ａ，２８ｃにはヒータが取り付けられていることが望ましい。ヒータは、例えば耐熱ガラス２８ａ，２８ｃの表面に熱線となる導体が印刷されたものである。
ヒータの熱線は、細く且つ薄い。また３枚の耐熱ガラス２８ａ，２８ｂ，２８ｃはいずれも透明であることが望ましい。ヒータが取り付けられていても、内側透明壁２６は、全体として透明である。
【００３９】
外側透明壁２７は、具体的には化粧ガラスであり、透明である。外側透明壁２７は、無色であることが望ましい。外側透明壁２７の形状は長方形である。
また本実施形態では、外側透明壁２７は、図６の様に４か所に長孔３１が設けられている。長孔３１は天地方向に長い。なお孔の形状や位置は限定されるものではない。
【００４０】
本実施形態では、図３、図４、図５の様に開口２５の試験室５寄りの部分に内側透明壁２６が装着されている。また開口２５の外側寄りの部分に、外側透明壁２７が装着されている。
外側透明壁２７と内側透明壁２６とは密接しておらず、両者の間には空隙部３２が存在する。
外側透明壁２７及び内側透明壁２６は、いずれも透明なガラスで作られているから、窓部２１は透明であり、窓部２１を通して外部から試験室５内を観察することができる。
【００４１】
本実施形態の環境試験装置１では、特徴的構成として、内部遮光部材４０と、外部遮光部材４１及びカメラ４３が設けられている。
内部遮光部材４０は、図６、図７の様に断面形状が四角形の筒状部材である。内部遮光部材４０の正面形状は正方形であり、窓部２１に比べて小さい。特に内部遮光部材４０は、図１の様に高さ方向には窓部２１の半分以下程度であることが望ましい。
内部遮光部材４０の大きさ、特に高さを窓部２１に比べて小さくすることにより、窓部２１の窓としての機能を損なうことを防ぐことができる。
内部遮光部材４０の長さは、外側透明壁２７と内側透明壁２６との間の空隙部３２の幅と略等しい。
内部遮光部材４０の長さは、空隙部３２の幅と等しいことが推奨されるが、空隙部３２の幅よりも短くてもよい。内部遮光部材４０の長さは、空隙部３２の幅の５０パーセント以上であることが望ましく、より推奨されるのは８０パーセント以上である。
【００４２】
内部遮光部材４０は、図６、図７の様に不透明の壁によって４面が環状に囲まれ、前後が開口するものであり、四角形の全長が短い枠である。即ち内部遮光部材４０は、内部が空洞であって前後が開口している。内部遮光部材４０は、前記した外側透明壁２７と内側透明壁２６の間に装着される部材であり、外側透明壁２７側と内側透明壁２６側に開口４５，４８がある。
内部遮光部材４０の内面は、黒色に着色されている。
【００４３】
内部遮光部材４０を構成する４面の壁面は、内部遮光壁５０として機能する。
図６の姿勢を基準とすると、内部遮光部材４０は、上部側内部遮光壁５０ａ、下部側内部遮光壁５０ｂ、側面側内部遮光壁５０ｃ，５０ｄを有している。
【００４４】
内部遮光部材４０の外側透明壁２７側の開口４５には開口端に外フランジ４６が設けられている。外フランジ４６には取り付け用のネジ孔４７が設けられている。
一方、内部遮光部材４０の内側透明壁２６側の開口４８には内フランジ５１が設けられている。
【００４５】
次に外部遮光部材４１について説明する。外部遮光部材４１は、カメラ収容部としても機能するものであり、一面だけが開口する箱である。
外部遮光部材４１は、図５、図６、図７の様に四角錐台形状であり、四角錐台形状の底面に相当する部分だけが開口し、他の部位（５面）は閉塞している。
外部遮光部材４１の開口の大きさ及び形状は、前記した内部遮光部材４０の開口４５，４８と略等しい。
本実施形態では、外部遮光部材４１を構成する５面の壁面は、外部遮光壁５５として機能する。
図７の姿勢を基準とすると、外部遮光部材４１は、上部側外部遮光壁５５ａ、下部側外部遮光壁５５ｂ、側面側外部遮光壁５５ｃ，５５ｄ及び正面側外部遮光壁５５ｅを有している。
図７の姿勢を基準とすると、上部側外部遮光壁５５ａと下部側外部遮光壁５５ｂ及び側面側外部遮光壁５５ｃ，５５ｄは傾斜壁である。また正面側外部遮光壁５５ｅは垂直壁である。
開口部には外フランジ５７が設けられている。外フランジ５７には取り付け孔５８が設けられている。
【００４６】
外部遮光部材４１の中には図３の様にカメラ４３を設置する台座５６が設けられている。そして当該台座５６にはカメラ４３が取り付けられている。台座５６は、外側透明壁２７の外側にカメラ４３を設置するためのカメラ設置部として機能する。
カメラ４３は、デジタル式のカメラである。また下部側外部遮光壁５５ｂには、カメラ４３の信号線（図示せず）等を挿通するための孔５２が設けられている。孔５２には、入光を防止するための栓５９が設けられている（図６）。
カメラ４３の信号線（図示せず）等を挿通するための孔５２は他の部位に設けられていてもよい。
【００４７】
次に各部材の位置関係について説明する。
本実施形態の環境試験装置１では、外側透明壁２７と内側透明壁２６との間の空隙部３２に、内部遮光部材４０が内蔵されている。
また外側透明壁２７に外部遮光部材４１が取り付けられ、外部遮光部材４１にカメラ４３が内蔵されている。
内部遮光部材４０と外部遮光部材４１は、いずれも外側透明壁２７にネジ止めされている。
即ち外側透明壁２７の外面側に外部遮光部材４１の外フランジ５７が接し、外側透明壁２７の内面側に外フランジ４６が接している。そして外部遮光部材４１の孔５８と、外側透明壁２７の長孔３１にネジ６０が挿通され、当該ネジ６０が内部遮光部材４０のネジ孔４７と係合し、外部遮光部材４１と内部遮光部材４０が外側透明壁２７の内外面に取り付けられている。
【００４８】
本実施形態では、ネジ６０は頭部にローレット（図示せず）が形成されており、使用者が道具を使用することなく、回転させることができるものである。勿論、ローレットが形成されたネジに限定されず、蝶ネジであってもよく、通常のボルトや丸ネジ等であってもよい。
またネジ６０の先端には、ＣリングやＥリング等が装着されており、ネジ６０が抜け去ってしまうことが防止されている。
本実施形態では、外側透明壁２７に設けられた孔が長孔３１であるから、外部遮光部材４１と内部遮光部材４０の取り付け高さを調整することができる。
【００４９】
また内部遮光部材４０の内側透明壁２６側の開口４８は、内側透明壁２６の近傍に開いている。
内部遮光部材４０は、外側透明壁２７に片持ち状に取り付けられており、内側透明壁２６には固定されていない。
【００５０】
外側透明壁２７及び内側透明壁２６の姿勢と、内部遮光部材４０の各内部遮光壁５０との関係に注目すると、内部遮光部材４０の各内部遮光壁５０は、外側透明壁２７及び内側透明壁２６に対して垂直姿勢である。少なくとも内部遮光部材４０の各内部遮光壁５０は、外側透明壁２７及び内側透明壁２６に対して垂直方向の成分を有する姿勢で取り付けられている。
【００５１】
また外側透明壁２７の姿勢と、外部遮光部材４１の上部側外部遮光壁５５ａ、下部側外部遮光壁５５ｂ、側面側外部遮光壁５５ｃ，５５ｄの関係に注目すると、外部遮光部材４１の外部遮光壁５５の正面側外部遮光壁５５ｅ以外は、外側透明壁２７に対して垂直に近い姿勢である。少なくとも外部遮光部材４１の上部側外部遮光壁５５ａ、下部側外部遮光壁５５ｂ、側面側外部遮光壁５５ｃ，５５ｄは、外側透明壁２７に対して垂直方向の成分を有する姿勢で取り付けられている。
【００５２】
本実施形態の環境試験装置１では、外部遮光部材４１に内蔵されたカメラ４３によって、試験室５内がモニターされる。また必要に応じて図示しない録画装置に試験室５内の様子が録画される。
【００５３】
このとき図３の様に室内の照明光Ｂは、従来と同様に窓部２１に入るが、本実施形態では、カメラ４３に入光する光の円錐状の通過領域Ａは、四角筒状の内部遮光部材４０によって全周囲が取り囲まれている。
本実施形態では、内部遮光部材４０は環状であり、空隙部３２の空間であって光の円錐状の通過領域Ａに相当する領域をトンネルの如くに環状に取り囲んでいる。
そのため窓部２１に入った光であって、内側透明壁２６で反射したならばカメラ４３に入射されるであろう角度から入りこんだ光は、内部遮光部材４０で遮られて、内側透明壁２６に到達せず、内側透明壁２６で反射しない。従って窓部２１に入った光であって、内側透明壁２６で反射したならばカメラ４３に入射されるであろう角度から入りこんだ光は、カメラ４３に入光しない。
【００５４】
本実施形態では、内部遮光部材４０の上部側内部遮光壁５０ａは、外側透明壁２７及び内側透明壁２６に対して垂直方向の成分を有する姿勢で取り付けられており、水平姿勢に近い。そのため上部側内部遮光壁５０ａは、上部側からの入光して内側透明壁２６に当たるであろう光を遮る。また本実施形態では、他に下部側内部遮光壁５０ｂ、側面側内部遮光壁５０ｃ，５０ｄを有しているので、乱反射光や、回折光についても通過領域Ａに入り難い。
そのためカメラ４３に蛍光灯の光等が写り込むことはない。
【００５５】
またカメラ４３の背面や、上面、側面等は、外部遮光部材４１で囲まれている。そのためカメラ４３の近傍から光が空隙部３２に入ることはない。
即ち外部遮光部材４１の上部側外部遮光壁５５ａは、水平姿勢に近い。そのため上部側外部遮光壁５５ａは、上部側からの雑光が外側透明壁２７に当たることを阻止する。
特にカメラ４３の入光部４２の近傍にも外側透明壁２７があるから、雑光が入光部４２に入り難い。
また本実施形態では、他に下部側外部遮光壁５５ｂ及び側面側外部遮光壁５５ｃ，５５ｄを有しているので、乱反射光や、回折光についてもカメラ４３の入光部４２に入り難い。
【００５６】
さらに本実施形態では、カメラ４３の背面側が、正面側外部遮光壁５５ｅで覆われているから、カメラ４３の背面側の人物や調度の陰影が外側透明壁２７や内側透明壁２６に写り難く、これらの影がカメラ４３に写り込み難い。
そのため本実施形態によると、カメラ４３に雑光や陰影が写り難く、試験室５内の様子を正確にモニターしたり撮影することができる。
【００５７】
また本実施形態では、窓部２１の面積は、外部遮光部材４１及び内部遮光部材４０が占める面積よりも相当に大きい。そのため作業者は、窓部２１の外部遮光部材４１及び内部遮光部材４０が無い部分から試験室５内を直接見ることができる。
【００５８】
以上説明した実施形態では、内部遮光部材４０の外側透明壁２７側に外フランジ４６が設けられ、内側透明壁２６側に内フランジ５１を設けた。また外部遮光部材４１にも外フランジ５７が設けられている。
この構成は、ガラス内で屈折した光がカメラ側に回折することを阻止する効果があり、推奨される。
【００５９】
即ち図３の円内の拡大図の様に、窓部２１内に入った光は、一部が内側透明壁２６の耐熱ガラス２８ａの表面で反射し（矢印ａ）、残部が耐熱ガラス２８ａ内に入る。そして耐熱ガラス２８ａに入った光は、その直後に屈折して進行方向が変わり、さらに耐熱ガラス２８ａから出るときに一部が反射（矢印ｂ）する。
矢印ｂの反射光は、耐熱ガラス２８ａに入光した位置からオフセットした位置に反射して戻る。
ここで本実施形態では、内部遮光部材４０の内側透明壁２６側に内フランジ５１が設けられているから、反射光がオフセットした位置に戻っても内フランジ５１で遮られ、カメラ４３側に回り込むことはない。
内部遮光部材４０の外側透明壁２７側に設けられた外フランジ４６と、外部遮光部材４１に設けられた外フランジ５７も同様の機能を果たすものであり、外側透明壁２７の内部で反射した光がカメラ４３側に回り込むことを防いでいる。
【００６０】
内部遮光部材４０に内フランジ５１を設ける構成は、図８の様に内部遮光部材４０が内側透明壁２６から大きく離れている場合に特に推奨される構成である。
【００６１】
フランジの向きは、外側透明壁２７側が外向きであり、内側透明壁２６側が内向きであることが推奨されるが、逆であってもよい。また双方が外向きのフランジであってもよく、双方が内向きのフランジであってもよい。
本実施形態について、内部遮光部材４０の内側透明壁２６側を内フランジ５１とし、外フランジとしなかった理由は、窓部２１の視野を狭くすることを防ぐためであったが、内フランジ５１に代えて外フランジとしても、反射光がオフセットした位置に戻り、カメラ４３に回り込むことを防ぐ効果は期待できる。
【００６２】
以上説明した実施形態では、内部遮光部材４０の断面形状は、四角形であるが、他の多角形や円形であってもよい。
前記した実施形態では、内部遮光部材４０の各内部遮光壁５０は、外側透明壁２７及び内側透明壁２６に対して垂直姿勢であったが、多少の傾斜があってもよい。要するに内部遮光部材４０の各内部遮光壁５０は、外側透明壁２７及び内側透明壁２６に対して垂直方向の成分を有する姿勢で取り付けられていればよい。
【００６３】
以上説明した実施形態では、内部遮光部材４０は筒状であり、カメラ４３に入光する光の通過領域をすっぽりと覆うものであるが、本発明はこの構成に限定されるものではなく、主要な雑光を選択的に排除するものであってもよい。
雑光の光源は、主に室内の照明であり、室内の天上部にあり、雑光は上から照射される。そのため図９に示す内部遮光部材７０の様に、上部からの雑光と、回り込む光の除去を目的として、上部側内部遮光壁７１ａの全部と、側面側内部遮光壁７１ｃ，７１ｄの一部だけがある構成を採用することもできる。
【００６４】
また上記した実施形態では、外側透明壁２７に長孔３１を設けたが、丸孔であってもよくダルマ形状の孔であってもよい。
外側透明壁２７に孔を複数設け、内部遮光部材４０と外部遮光部材４１の取り付け位置を変更できる様にすることも考えられる。
例えば外側透明壁２７に孔を縦二列に多数設け、ネジ６０を挿通する孔を選択することによって内部遮光部材４０及び外部遮光部材４１の取り付け高さを変えることができる構成を採用してもよい。
【００６５】
以上説明した実施形態では、窓部２１の窓としての機能を損なうことを防ぐことを目的として、内部遮光部材４０の大きさ、特に高さを窓部２１に比べて小さく設計している。しかしながら、内部遮光部材４０が存在することにより、試験室５の内部が見にくくなることは否めない。
仮に、外部遮光部材４１を取り外したとしても、外側透明壁２７と内側透明壁２６の間の空隙部３２に内部遮光部材４０が残るので、内部遮光部材４０が邪魔になって試験室５の内部は多少、見え難くくなる。
【００６６】
この対策として、内部遮光部材４０の形状や姿勢を外部から変更が可能とする方策が考えられる。
即ち前記した実施形態では、内部遮光部材４０の形状や姿勢は固定的であったが、必要に応じて変形するものであってもよい。
例えば図１０に示す内部遮光部材７２の様に、上部側内部遮光壁７３ａは板状であるが、側面側内部遮光壁７３ｃ，７３ｄは、布状や蛇腹状の様な伸縮変形可能なものを素材としている。もちろん他の伸縮又は変形可能な素材であってもよい。
側面側内部遮光壁７３ｃ，７３ｄの下辺部は他の部材に固定されていて上下動することはない。
また上部側内部遮光壁７３ａの端部に磁石７７が設けられている。
図１０に示す内部遮光部材７２では、カメラ４３による撮影を要しない場合には、上部側内部遮光壁７３ａが自重によって下部に移動し、側面側内部遮光壁７３ｃ，７３ｄは、折り畳まれた状態となる。
一方、カメラ４３による撮影を行う場合には、外部から図示しない磁石を押し当てて外側透明壁２７越しに上部側内部遮光壁７３ａを磁着し、外部の磁石を移動させて上部側内部遮光壁７３ａを上昇させる。
その結果、図１０（ｂ）の様に、側面側内部遮光壁７３ｃ，７３ｄが広がり、側面からの光の入射を阻止する。
【００６７】
なお外部遮光部材４１の開口部の外フランジ５７に磁石を設け、当該磁石によって外部遮光部材４１を外側透明壁２７に固定してもよい。本構成によると、上部側内部遮光壁７３ａの移動と、外部遮光部材４１の固定を、外部遮光部材４１に設けた磁石によって行うこととなる。
【００６８】
また磁石に代わって、外側透明壁２７にスリットを設け、取り付け用のネジを上下に移動させて内部遮光部材７２を移動させて姿勢を変形させてもよい。
またワイヤー等で内部遮光部材７２の一部を吊り下げ、ワイヤー等を操作することによって内部遮光部材７２を移動させたり姿勢を変形させることも考えられる。
他の方法として、外側透明壁２７に縦に孔を多数設け、内部遮光部材７２の少なくとも一部を取り付けるためのネジを挿通する孔を選択することによって、内部遮光部材７２の一部又は全部を移動させてもよい。
【００６９】
図１０に示す内部遮光部材７２は、カメラ４３を使用しない際には折り畳まれて高さが低くなり、窓部２１は広い視野が確保される。そのためカメラ４３を使用しない場合には、試験室５の内部を目視で確認し易い。
【００７０】
また図１１に示す内部遮光部材７５の様に、各内部遮光壁７６をヒンジ７８で結合し、カメラ４３による撮影を要しない場合には、各遮光壁７６を縦姿勢としておく。
一方、カメラ４３による撮影を行う場合には、上部側内部遮光壁８０ａと下部側内部遮光壁８０ｂを水平姿勢に変更し、枠状の内部遮光部材７５を構成させる。
本構成によっても、カメラを使用しない場合には、広い視野が確保される。
【００７１】
さらには、図１２に示す内部遮光部材８１の様に、巾着のごとく開口８２が拡縮する構造とし、カメラ４３による撮影を要しない場合には、外側透明壁２７側の開口８２を広げておく。
一方、カメラ４３による撮影を行う場合には、外側透明壁２７側の開口８２を窄め、漏斗状の内部遮光部材８１を構成する。
本構成によっても、カメラを使用しない場合には、広い視野が確保される。
【００７２】
以上、内部遮光部材４０の変形例について説明したが、外部遮光部材４１についても上記した実施形態に限定されるものではない。例えば全体形状は、四角錐台形状である必要はなく、四角錐、５角以上の錐形、直方体、立方体、円柱形等いずれであってもよい。外部遮光部材は、カメラ４３の全周を被うものでなくてもよい。
【００７３】
上記した実施形態では、内側透明壁２６として複層ペアガラスを採用したが、内側透明壁２６は透明でありさえすればよく、単層のガラスでもよく、樹脂等でもよい。
また、ガラスにはヒータが取り付けられていなくてもよい。
【００７４】
本発明は、温度や湿度を調整する機能を備えた環境試験装置に限定されるものではなく、他の試験装置にも適用可能である。
【符号の説明】
【００７５】
１  環境試験装置
５  試験室
２０  開閉扉
２１  窓部
２５  開口
２６  内側透明壁
２７  外側透明壁
２８ａ，２８ｂ，２８ｃ  耐熱ガラス
４０  内部遮光部材
４１  外部遮光部材
４３  カメラ
５０  内部遮光壁
５５  外部遮光壁
７０  内部遮光部材
７１ａ  上部側内部遮光壁
７３ａ  上部側内部遮光壁
７３ｃ，７３ｄ  側面側内部遮光壁
７５  内部遮光部材
７６  内部遮光壁
８１  内部遮光部材
【図１】
0006410661.tif 000002
【図２】
0006410661.tif 000003
【図３】
0006410661.tif 000004
【図４】
0006410661.tif 000005
【図５】
0006410661.tif 000006
【図６】
0006410661.tif 000007
【図７】
0006410661.tif 000008
【図８】
0006410661.tif 000009
【図９】
0006410661.tif 000010
【図１０】
0006410661.tif 000011
【図１１】
0006410661.tif 000012
【図１２】
0006410661.tif 000013
【図１３】
0006410661.tif 000014